(57)【要約】【課題】ブロックをフレームの内側に取り付ける際、ブロックの係止部とフレームの係止受け部とを目視により位置合わせする必要がなく、容易に取り付けることができる電気接続箱を提供する。【解決手段】電気接続箱１は、フレーム２と、該フレーム２の内側に取り付けられるブロック３と、を備えている。ブロック３には係止部４が設けられ、フレーム２には係止部４が係止する係止受け部５が設けられている。フレーム２におけるブロック３を囲む４面２ａ，２ｂ，２ｃ，２ｄには、ブロック３を正規取付位置に案内するテーパ面２３ａ，２４ａが設けられている。また、フレーム２は、外壁２１及び内壁２２から成る二重壁２０と、外壁２１と内壁２２とを繋いだリブ２３と、を有しており、リブ２３が内壁２２よりも上方まで延長されている。テーパ面２３ａは、リブ２３の延長部分に設けられている。【選択図】図１
2014171317.tif 000002
【特許請求の範囲】
【請求項１】
フレームと、該フレームの内側に取り付けられるブロックと、を備え、
前記ブロックに係止部が設けられ、前記フレームに前記係止部が係止する係止受け部が設けられた電気接続箱において、
前記フレームにおける前記ブロックを囲む４面のうち、少なくとも互いに交差する２面に、前記ブロックを正規取付位置に案内するテーパ面が設けられている
ことを特徴とする電気接続箱。
【請求項２】
前記フレームが、外壁及び内壁から成る二重壁と、前記外壁と前記内壁とを繋いだリブと、を有し、
前記リブが前記内壁よりも上方又は下方まで延長されており、該延長部分に前記テーパ面が設けられている
ことを特徴とする請求項１に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱は様々な構造のものがあるが、例えば、図７，８に示すように、フレームと、該フレームの内側に取り付けられるブロックと、を備えた構造のものがある（特許文献１を参照。）。また、図７は、従来の電気接続箱の斜視図であり、ブロックをフレームに取り付ける途中段階の斜視図である。図８は、図７に示されたフレームの斜視図である。
【０００３】
図７に示す電気接続箱３０１は、フレーム３０２と、該フレーム３０２の内側に取り付けられるブロック３と、該ブロック３に取り付けられるリレー、ヒューズ、バスバ等の各種部品と、を備えている。
【０００４】
上記ブロック３は、合成樹脂によりブロック状に形成されており、上記各種部品を取り付ける複数の部品取付部が設けられている。また、ブロック３の側面には、係止部４が複数設けられている。各係止部４は、平行に配された一対のレール４１と、該一対のレール４１間に設けられた突起４２と、で構成されている。
【０００５】
上記フレーム３０２は、合成樹脂により枠状に形成されており、その内面に、上記係止部４が係止する係止受け部５が複数設けられている。各係止受け部５は、図８に示すように、平行に配された一対のレール５１と、該一対のレール５１間に設けられた突起５２と、で構成されている。
【０００６】
上記係止部４は、一対のレール４１が係止受け部５の一対のレール５１間に挿入され、突起４２が係止受け部５の突起５２を乗り越えて該突起５２に引っ掛かることにより、係止受け部５に係止する。また、複数の係止部４が対応する複数の係止受け部５に係止することにより、ブロック３がフレーム３０２に取り付けられる。
【先行技術文献】
【特許文献】
【０００７】
【特許文献１】特開２０１２−５５１０８号公報
【発明の概要】
【発明が解決しようとする課題】
【０００８】
上述した従来の電気接続箱３０１においては、以下に示す問題があった。すなわち、ブロック３をフレーム３０２に取り付ける際は、一対のレール４１が係止受け部５の一対のレール５１間に挿入されるように、これらを目視して位置合わせを行う必要があり、作業が煩雑であるという問題があった。
【０００９】
したがって、本発明は、ブロックをフレームの内側に取り付ける際、ブロックの係止部とフレームの係止受け部とを目視により位置合わせする必要がなく、容易に取り付けることができる電気接続箱を提供することを目的とする。
【課題を解決するための手段】
【００１０】
上記目的を達成するために請求項１に記載された発明は、フレームと、該フレームの内側に取り付けられるブロックと、を備え、前記ブロックに係止部が設けられ、前記フレームに前記係止部が係止する係止受け部が設けられた電気接続箱において、前記フレームにおける前記ブロックを囲む４面のうち、少なくとも互いに交差する２面に、前記ブロックを正規取付位置に案内するテーパ面が設けられていることを特徴とする電気接続箱である。
【００１１】
請求項２に記載された発明は、請求項１に記載された発明において、前記フレームが、外壁及び内壁から成る二重壁と、前記外壁と前記内壁とを繋いだリブと、を有し、前記リブが前記内壁よりも上方又は下方まで延長されており、該延長部分に前記テーパ面が設けられていることを特徴とするものである。
【発明の効果】
【００１２】
請求項１に記載された発明によれば、前記フレームにおける前記ブロックを囲む４面のうち、少なくとも互いに交差する２面に、前記ブロックを正規取付位置に案内するテーパ面が設けられているので、ブロックをテーパ面に当てながらフレームの内側に挿入することで、ブロックの係止部とフレームの係止受け部とを目視により位置合わせしなくても、これらが正規位置に位置決めされ、ブロックをフレームの内側に容易に取り付けることができる。
【００１３】
請求項２に記載された発明によれば、前記フレームが、外壁及び内壁から成る二重壁と、前記外壁と前記内壁とを繋いだリブと、を有し、前記リブが前記内壁よりも上方又は下方まで延長されており、該延長部分に前記テーパ面が設けられているので、フレームを大型化させることなくテーパ面を設けることができる。
【図面の簡単な説明】
【００１４】
【図１】本発明の一実施形態にかかる電気接続箱の断面図であり、ブロックをフレームに取り付ける途中段階の断面図である。
【図２】図１中のＡ−Ａ線に沿った断面図である。
【図３】図１に示されたフレームの斜視図である。
【図４】図３に示されたフレームを反対側から見た斜視図である。
【図５】図１に示されたブロックの斜視図である。
【図６】図５に示されたブロックを反対側から見た斜視図である。
【図７】従来の電気接続箱の斜視図であり、ブロックをフレームに取り付ける途中段階の斜視図である。
【図８】図７に示されたフレームの斜視図である。
【発明を実施するための形態】
【００１５】
本発明の一実施形態にかかる「電気接続箱」を図１〜６を参照して説明する。
【００１６】
図１に示す電気接続箱１は、自動車に搭載されるものであり、フレーム２と、該フレーム２の内側に取り付けられるブロック３と、該ブロック３に取り付けられるリレー、ヒューズ、バスバ等の各種部品と、を備えている。また、図１は、ブロック３をフレーム２に取り付ける途中段階の断面図である。
【００１７】
上記ブロック３は、合成樹脂によりブロック状に形成されており、上記各種部品を取り付ける複数の部品取付部が設けられている。また、図５，６に示すように、ブロック３の側面には、係止部４が複数設けられている。各係止部４は、平行に配された一対のレール４１と、該一対のレール４１間に設けられた突起４２と、で構成されている。
【００１８】
上記フレーム２は、合成樹脂により枠状に形成されており、その内面に、上記係止部４が係止する係止受け部５が複数設けられている。各係止受け部５は、図３に示すように、平行に配された一対のレール５１と、該一対のレール５１間に設けられた突起５２と、で構成されている。また、図３，４に示すように、フレーム２は、外壁２１及び内壁２２から成る二重壁２０と、外壁２１と内壁２２とを繋いだリブ２３と、外壁２１の内側に設けられたリブ２４と、を有している。これらリブ２３，２４は、フレーム２の剛性を高めるために設けられている。
【００１９】
上記係止部４は、一対のレール４１が係止受け部５の一対のレール５１間に挿入され、突起４２が係止受け部５の突起５２を乗り越えて該突起５２に引っ掛かることにより、係止受け部５に係止する。また、複数の係止部４が対応する複数の係止受け部５に係止することにより、ブロック３がフレーム２に取り付けられる。また、図２〜６中の矢印Ｔは、ブロック３をフレーム２に取り付ける際の取付方向を示している。
【００２０】
また、図２〜４に示すように、フレーム２におけるブロック３を囲む４面２ａ，２ｂ，２ｃ，２ｄには、ブロック３を正規取付位置に案内する複数のテーパ面２３ａ，２４ａが設けられている。なお、フレーム２の面２ａは、ブロック３の側面３ａと対向する。フレーム２の面２ｂは、ブロック３の側面３ｂと対向する。フレーム２の面２ｃは、ブロック３の側面３ｃと対向する。フレーム２の面２ｄは、ブロック３の側面３ｄと対向する。
【００２１】
上記テーパ面２３ａは、上述したリブ２３に設けられている。なお、リブ２３は、二重壁２０を構成する内壁２２よりも上方（図３，４の紙面方向の上方）まで延長されており、該延長部分にテーパ面２３ａが設けられている。上記テーパ面２４ａは、上述したリブ２４に設けられている。
【００２２】
また、図２などに示すように、テーパ面２３ａ，２４ａは、係止受け部５よりも上方（図２の紙面方向の上方）に配置されている。このことにより、ブロック３をフレーム２の内側に取り付ける際、係止部４が係止受け部５に当たり始めるよりも先に、ブロック３がテーパ面２３ａ，２４ａに当たる。
【００２３】
このような電気接続箱１においては、フレーム２の４面２ａ，２ｂ，２ｃ，２ｄに複数のテーパ面２３ａ，２４ａが設けられているので、ブロック３をフレーム２の内側に取り付ける際、ブロック３をこれらテーパ面２３ａ，２４ａに当てながら矢印Ｔ方向に挿入することで、ブロック３の係止部４とフレーム２の係止受け部５とを目視により位置合わせしなくても、これらが正規位置に位置決めされ、ブロック３をフレーム２の内側に容易に取り付けることができる。また、本実施形態では、既存のリブ２３の延長部分にテーパ面２３ａを設けているので、フレーム２が大型化することを防止できる。
【００２４】
また、上述した実施形態では、フレーム２におけるブロック３を囲む４面２ａ，２ｂ，２ｃ，２ｄ全てにテーパ面２３ａ，２４ａが設けられていたが、本発明では、フレームにおけるブロックを囲む４面のうち少なくとも互いに交差する２面に、ブロックを正規取付位置に案内するテーパ面が設けられていれば良い。
【００２５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２６】
１  電気接続箱
２  フレーム
３  ブロック
４  係止部
５  係止受け部
２０  二重壁
２１  外壁
２２  内壁
２３  リブ
２３ａ，２４ａ  テーパ面
【図１】
2014171317.tif 000003
【図２】
2014171317.tif 000004
【図３】
2014171317.tif 000005
【図４】
2014171317.tif 000006
【図５】
2014171317.tif 000007
【図６】
2014171317.tif 000008
【図７】
2014171317.tif 000009
【図８】
2014171317.tif 000010